(57)【要約】      （修正有）【課題】互いに異なる温度帯の空気を同時に吹き出すことが可能な空気調和機を提供する。【解決手段】空気調和機の室内機３は、空気吸込口１２及び空気吹出口を有する筺体５と、空気を空気吸込口１２から吸い込み、空気吹出口から吹き出させる送風ファンと、空気吸込口１２から吸い込まれた空気と冷媒との間で熱交換を行う熱交換器とを備える。また、空気吸込口１２の一部を通過する空気の単位面積当たりの流量を他部よりも低下させる通風抵抗体３０や、フィルタ清掃機構１８や、分割式の複数の前面パネルを備える。【選択図】図３
2016217589.tif 000002
【特許請求の範囲】
【請求項１】
空気吸込口及び空気吹出口を有する筺体と、
空気を前記空気吸込口から吸い込み、前記空気吹出口から吹き出させる送風ファンと、
前記空気吸込口から吸い込まれた空気と冷媒との間で熱交換を行う熱交換器と、
前記空気吸込口の一部を開閉自在に覆い、前記空気吸込口の一部を通過する空気の単位面積当たりの流量を前記空気吸込口の他部よりも低下させる通風抵抗体と
を備えた空気調和機。
【請求項２】
前記通風抵抗体が、前記空気吸込口に対して展開及び折畳自在な多孔性の成形体であることを特徴とする請求項１に記載の空気調和機。
【請求項３】
前記空気吸込口に設置されるフィルタと、
前記フィルタの外側に配置され、前記フィルタ上を移動して前記フィルタに付着した塵埃を除去するフィルタ清掃機構とをさらに備え、
前記通風抵抗体は、一端が前記空気吸込口よりも外側に固定されると共に他端が前記フィルタ清掃機構に取着され、前記フィルタ清掃機構の移動に伴って展開して前記空気吸込口を覆うことを特徴とする請求項２に記載の空気調和機。
【請求項４】
前記空気吸込口が、前記筺体の前側に設けられる前側空気吸込口と前記筺体の上側に設けられる上側空気吸込口であり、
前記通風抵抗体が、前記前側空気吸込口及び前記上側空気吸込口の少なくとも一方の一部を開閉自在に覆うことを特徴とする請求項１から請求項３のいずれか一項に記載の空気調和機。
【請求項５】
空気吸込口及び空気吹出口を有する筺体と、
空気を前記空気吸込口から吸い込み、前記空気吹出口から吹き出させる送風ファンと、
前記空気吸込口から吸い込まれた空気と冷媒との間で熱交換を行う熱交換器と、
前記空気吸込口に設置されるフィルタと、
前記フィルタの外側に配置され、前記フィルタ上を移動して前記フィルタに付着した塵埃を除去するフィルタ清掃機構とを備え、
前記フィルタ清掃機構は、運転時に前記フィルタ上を移動して前記空気吸込口の直上に静止し、前記空気吸込口の一部を通過する空気の単位面積当たりの流量を前記空気吸込口の他部よりも低下させることを特徴とする空気調和機。
【請求項６】
空気吸込口及び空気吹出口を有する筺体と、
空気を前記空気吸込口から吸い込み、前記空気吹出口から吹き出させる送風ファンと、
前記空気吸込口から吸い込まれた空気と冷媒との間で熱交換を行う熱交換器と、
前記空気吸込口の一部と他部とをそれぞれ開閉自在に覆う分割式の複数の前面パネルとを備え、
複数の前記前面パネルは、互いに異なる開度に開いて、前記空気吸込口の一部を通過する空気の単位面積当たりの流量を前記空気吸込口の他部よりも低下させることを特徴とする空気調和機。
【請求項７】
前記空気吹出口に設置され、前記空気吹出口から吹き出される空気の風向を互いに独立に可変させることができる分割式の複数の風向板をさらに備え、
複数の前記風向板は、互いに異なる角度に向いて、前記空気吹出口の一部を通過する空気の単位面積当たりの流量を前記空気吸込口の他部よりも低下させることを特徴とする請求項１から請求項６のいずれか一項に記載の空気調和機。
【発明の詳細な説明】
【技術分野】
【０００１】
本発明は、空気調和機に関する。
【背景技術】
【０００２】
空気調和機は、室内空気を熱交換器において熱交換することにより加熱、冷却、除湿された空気（調和空気）とし、これを室内に吹き出すことによって室内を空気調和する。近年では、サーモパイル等の温度センサや、ＣＣＤカメラ等の画像センサを搭載し、在室者の有無や位置、或いは家具等の物体の有無や位置を把握して気流の吹き出し方向を制御する空気調和機も開発されている。
【０００３】
この種の空気調和機では、検出される在室者や物体の位置に応じて左右風向板の角度を制御し、気流の吹き出し方向を偏向させることで空気調和のムラを無くして快適性の向上を図っている。従来、室内機において右側に配置される左右風向板と、左側に配置される左右風向板とで気流の偏向の方向を可変させる空気調和機が知られている。
【０００４】
例えば、特許文献１には、左側に配置された左右風向板を左側に揺動させて左側に吹き出される気流を作り出すと共に、右側に配置された左右風向板を右側に揺動させて右側に吹き出される気流を作り出したり（段落００４３参照）、左側に配置された左右風向板を右側に揺動させて右側に吹き出される気流を作り出すと共に、右側に配置された左右風向板を左側に揺動させて左側に吹き出される気流を作り出したりする技術が開示されている（段落００４４参照）。また、複数の送風ファンについて、送風ファン毎に風量を異ならせてもよいことについて開示されている（段落００４５参照）。
【先行技術文献】
【特許文献】
【０００５】
【特許文献１】特開２０１３−１３０３２３号公報
【発明の概要】
【発明が解決しようとする課題】
【０００６】
特許文献１に記載の技術では、室内機の左側と右側とに配置された左右風向板をそれぞれ揺動させることによって、吹き出し口の左右風向角度を従来よりも大きくすることができたり、吹き出し口から吹き出される気流を一点に集約して供給したりすることができるとされている。このように左側と右側とに配置された左右風向板を独立に制御すると、より緻密な風量設定がなされた気流を、空気調和機の使用空間の任意の領域に対して各別に到達させることも可能になる。
【０００７】
しかしながら、特許文献１に記載の技術のように、複数の軸流型又は斜流型の送風ファンを空気調和機に設け、各送風ファンの風量を個別に調整する構成を実現するためには、複数の送風ファンと共に複数の駆動用のモータを併設する必要がある。このような場合、モータ代が嵩むと共にモータ設置用の構成部材も増加し、空気調和機の製造コストが増大してしまう課題がある。
【０００８】
一方で、風量設定のみならず、より緻密な温度設定がなされた気流を、空気調和機の使用空間の任意の領域に対して適所に到達させることも望まれる。例えば、従来の空気調和機では、使用空間に複数の在室者が存在しているような場合においても、全員に略同じ温度帯の気流が到達して空気調和が行われる。そのため、暑がりの人と寒がりの人とが同室に居るような場合には、双方にとって快適な空間を実現することは困難である。
【０００９】
そこで、本発明は、互いに異なる温度帯の空気を同時に吹き出すことが可能な空気調和機を提供することを目的とする。
【課題を解決するための手段】
【００１０】
前記課題を解決するために本発明に係る空気調和機は、空気吸込口及び空気吹出口を有する筺体と、空気を前記空気吸込口から吸い込み、前記空気吹出口から吹き出させる送風ファンと、前記空気吸込口から吸い込まれた空気と冷媒との間で熱交換を行う熱交換器と、前記空気吸込口の一部を開閉自在に覆い、前記空気吸込口の一部を通過する空気の単位面積当たりの流量を前記空気吸込口の他部よりも低下させる通風抵抗体とを備えたことを特徴とする。
【発明の効果】
【００１１】
本発明によれば、互いに異なる温度帯の空気を同時に吹き出すことが可能な空気調和機を提供することができる。
【図面の簡単な説明】
【００１２】
【図１】本発明の一実施形態に係る空気調和機の構成図である。
【図２】本発明の一実施形態に係る空気調和機が備える室内機の側断面図である。
【図３】本発明の第１実施形態に係る空気調和機が備える室内機の斜視図である。
【図４】本発明の第１実施形態に係る空気調和機が備える室内機の平面図である。（ａ）は、通風抵抗体が畳まれた状態を示す図であり、（ｂ）は、通風抵抗体が展開した状態を示す図である。
【図５】本発明の第２実施形態に係る空気調和機が備える室内機の平面図である。（ａ）は、フィルタ清掃機構のみによって通風抵抗を与える形態を示す図であり、（ｂ）は、補助抵抗体を備えるフィルタ清掃機構によって通風抵抗を与える形態を示す図である。
【図６】本発明の第３実施形態に係る空気調和機が備える室内機の斜視図である。
【図７】本発明の第３実施形態に係る空気調和機が備える室内機の運転状態を示す図である。（ａ）は、分割前面パネルの両方が全開した状態を示す図であり、（ｂ）は、分割前面パネルの一方が全開し、他方が半開した状態を示す図である。
【図８】本発明の変形例に係る空気調和機が備える室内機の部分断面図である。（ａ）は、分割左右風向板が互いに同方向に向いた状態を示す図であり、（ｂ）は、分割左右風向板が互いに異方向に向いた状態を示す図である。
【発明を実施するための形態】
【００１３】
はじめに、本発明の一実施形態に係る空気調和機の基本的構成について説明する。なお、各図において共通する構成については、同一の符号を付し、重複した説明を省略する。
【００１４】
図１は、本発明の一実施形態に係る空気調和機の構成図である。また、図２は、本発明の一実施形態に係る空気調和機が備える室内機の側断面図である。
図１に示すように、本実施形態に係る空気調和機１は、室外機２と、室内機３と、接続配管４とを含むように構成される。接続配管４には、室外機２と室内機３との間を循環すし、室外機２と室内機３とのそれぞれにおいて熱交換を行う冷媒が通流する。
【００１５】
室外機２は、例えば、圧縮機、四方弁、膨張弁、室外熱交換器、プロペラファン等を備える。一方、室内機３は筺体５を有し、その内部には、図２に示すように、フィルタ１５、熱交換器２０、送風ファン２２、露受皿２６、上下風向板１４ａ、左右風向板１４ｂ等の基本的な内部構造体が取り付けられている。そして、これらの内部構造体は、図１に示すように、化粧枠６や室内機３の前面側に取り付けられる前面パネル７によって内包されている。また、筺体５の前側には、空気調和機１の運転状況を表示する表示部８や、別体のリモコン１０から発信される操作信号を受ける受光部９が設けられている。
【００１６】
室外機２では、室外熱交換器において外気と冷媒との熱交換が行われ、冷媒は、接続配管４を介して室内機３に送られる。そして、室内機３では、熱交換器２０（図２参照）において、室内空気と冷媒との熱交換が行われる。その後、冷媒は、接続配管４を介して再び室外機２に送られる。空気調和機１は、このようにして循環する冷媒との熱交換によって室内空気を加熱、冷却又は除湿し、これを吹き出すことによって使用空間を空気調和する。
【００１７】
図２に示すように、室内機３の筺体５（図１参照）は、空気吸込口１２（１２ａ，１２ｂ）と、空気吹出口１３とを有している。空気吸込口１２は、室内機３の前側に設けられる前側空気吸込口１２ａと上側に設けられる上側空気吸込口１２ｂとから構成されている。一方、空気吹出口１３は、室内機３の下部の前側に設けられている。
【００１８】
前側空気吸込口１２ａの外側に設けられた前面パネル７は、下端を軸として開閉自在とされている。そのため、空気調和機１の運転時には、前面パネル７が開状態となって前側空気吸込口１２ａが開口し、空気調和機１の停止時には、前面パネル７が閉状態となって前側空気吸込口１２ａが閉鎖されるようになっている。
【００１９】
各空気吸込口１２ａ，１２ｂは、空気中の塵埃を捕集するためのフィルタ１５によってそれぞれ覆われている。各フィルタ１５は、前側空気吸込口１２ａと上側空気吸込口１２ｂとを覆うように配置されている格子状の案内枠１７にそれぞれ係着している（図３参照）。そして、各フィルタ１５の外側には、起毛ブラシ１６が取り付けられた可動式のフィルタ清掃機構１８がそれぞれ備えられている。
【００２０】
フィルタ１５によって捕集された塵埃は、フィルタ清掃機構１８（前側支持枠１８ａ、上側支持枠１８ｂ（図３参照））が室内機３の左右方向に往復動することで起毛ブラシ１６によって捕集され、フィルタ１５から除去されるように構成されている。このようなフィルタ清掃機構１８によって、フィルタ１５が清潔に保たれると共に、フィルタ１５の目詰まりによる流入空気の減少が抑えられ、冷暖房性能の低下が防止されるようになっている。
【００２１】
フィルタ１５によって覆われた室内機３（筺体５）の内部には、熱交換器２０が室内機３の左右方向に延在するように配置されている。そして、熱交換器２０の下方には、送風ファン２２が配置されている。熱交換器２０は、図２に示すように、略逆Ｖ字状の側断面形状に設けられ、送風ファン２２を吸い込み側から覆うように配置されている。
【００２２】
送風ファン２２は、円筒状の貫流ファンとされている。送風ファン２２が作動して回動すると、空気は、空気吸込口１２ａ，１２ｂから吸い込まれ、室内機３の内部を流れて、空気吹出口１３から吹き出される（以下、空気の流れを白抜き矢印で示す。）。すなわち、各空気吸込口１２ａ，１２ｂからそれぞれ吸い込まれた流入空気は、フィルタ１５によって塵埃を除去された後、熱交換器２０によって熱交換される。
【００２３】
送風ファン２２の吹き出し側に設けられた空気吹出口１３には、上下風向板１４ａと、左右風向板１４ｂとが備えられている。上下風向板１４ａは風向を上下に偏向し、左右風向板１４ｂは風向を左右に偏向し得るように構成されている。また、上下風向板１４ａは、空気吹出口１３を開閉することができる。熱交換器２０によって熱交換された流入空気は、送風ファン２２の作動により、上下風向板１４ａと左右風向板１４ｂとによって風向が偏向されながら空気吹出口１３から使用空間に吹き出される。空気調和機１では、室内空気の吸い込みと流入空気の熱交換と流入空気の吹き出しとの繰り返しによって、所定温湿度への空気調和がなされるようになっている。
【００２４】
［第１実施形態］
次に、本発明の第１実施形態に係る空気調和機の構成について説明する。第１実施形態に係る空気調和機１は、空気吸込口１２の一部を開閉自在に覆い、その領域の通風抵抗を相対的に高めることが可能な通風抵抗体３０が備えられたものである。
【００２５】
図３は、本発明の第１実施形態に係る空気調和機が備える室内機の斜視図である。また、図４は、本発明の第１実施形態に係る空気調和機が備える室内機の平面図である。（ａ）は、通風抵抗体が畳まれた状態を示す図であり、（ｂ）は、通風抵抗体が展開した状態を示す図である。
図３においては、室内機３の前側に備えられる前面パネル７の一部を切り欠いて示している。図３に示すように、筺体５の前側に設けられる前側空気吸込口１２ａと、上側に設けられる上側空気吸込口１２ｂとには、フィルタ１５がそれぞれ設置されている。そして、フィルタ１５の外側には、フィルタ１５に付着した塵埃を除去するフィルタ清掃機構１８（前側支持枠１８ａ、上側支持枠１８ｂ）が配置されている。
【００２６】
フィルタ清掃機構１８は、前側支持枠１８ａと上側支持枠１８ｂとによって構成される基体に、起毛ブラシ１６（図２参照）、スクリュウ１８ｃ、キャリッジ１８ｄ、レール１８ｅ、推進軸１９ａ、ラック１９ｂ等が付随して構成されている。レール１８ｅは、案内枠１７の下端と後端とに配設されている。各レール１８ｅとラック１９ｂとは、室内機３の左右方向に平行に案内枠１７上に設けられている。
【００２７】
推進軸１９ａは、多角形断面を有しており、両端が案内枠１７に設けられた軸受に軸支されている。推進軸１９ａの一端は、片側の軸受を貫通し、一端に取り付けた歯車を介して不図示の移動用モータに連結されている。そして、推進軸１９ａには、スクリュウ１８ｃ、キャリッジ１８ｄが緩挿されている。スクリュウ１８ｃは、推進軸１９ａと平行なラック１９ｂに噛合している。
【００２８】
前側支持枠１８ａは、前側空気吸込口１２ａに設置されたフィルタ１５を跨ぐように、キャリッジ１８ｄと、案内枠１７の下端側のレール１８ｅとの間に懸架されている。一方、上側支持枠１８ｂは、上側空気吸込口１２ｂに設置されたフィルタ１５を跨ぐように、キャリッジ１８ｄと、案内枠１７の後端側のレール１８ｅとの間に懸架されている。前側支持枠１８ａ及び上側支持枠１８ｂの内側面には、各フィルタ１５に摺接するように起毛ブラシ１６が設けられている（図２参照）。
【００２９】
推進軸１９ａが連結されている不図示の移動用モータが作動すると、推進軸１９ａと共にスクリュウ１８ｃが回動する。そして、この回動に伴い、スクリュウ１８ｃはラック１９ｂに沿って移動する。すなわち、スクリュウ１８ｃは、移動用モータの回転方向に応じて、キャリッジ１８ｄを左右方向に自在に移動させることができる。
【００３０】
前側支持枠１８ａ及び上側支持枠１８ｂは、キャリッジ１８ｄの移動によって、推進軸１９ａとレール１８ｅとに沿ってフィルタ１５上を左右方向に移動する。前側支持枠１８ａ及び上側支持枠１８ｂが、室内機３の左右方向の一端の待機位置から他端に移動する間に、起毛ブラシ１６がフィルタ１５上に摺接しながら掃引され、フィルタ１５に付着している塵埃が除去される。その後、前側支持枠１８ａ及び上側支持枠１８ｂは、他端で折り返し、再び待機位置に戻る。
【００３１】
図３に示すように、本実施形態に係る空気調和機１においては、室内機３に通風抵抗体３０が備えられている。通風抵抗体３０は、多孔性の材料がシート状ないし膜状に成形された成形体とされている。通風抵抗体３０は多孔性の材料からなるため空気の通過を完全に遮断することは無く、通風抵抗体３０を通過した後に空気吸込口１２に至る空気についても、室内機３の内部への吸い込みが可能になっている。但し、通風抵抗体３０は、通過する空気に対しては通風抵抗を及ぼして圧力損失を生じさせることができる。通風抵抗体３０の材料としては、具体的には、フィルタ、紙、不織布、編物等が例示される。このような材料からなる成形体の目付量や開口率や厚さは、空気の通過を実質的に遮断しない限り特に制限されない。
【００３２】
通風抵抗体３０は、図３に示すように、室内機３の前側に備えられた前側通風抵抗体３０ａと上側に備えられた上側通風抵抗体３０ａとからなる。前側通風抵抗体３０ａの一端は、前側支持枠１８ａに取着され、上側通風抵抗体３０ｂの一端は、上側支持枠１８ｂに取着されている。一方、前側通風抵抗体３０ａ及び上側通風抵抗体３０ｂの他端は、空気吸込口１２よりも側方側において案内枠１７にそれぞれ固定されている（図４参照）。
【００３３】
通風抵抗体３０ａ，３０ｂは、畳まれた状態から広げられた状態へ展開自在、且つ、広げられた状態から畳まれた状態へ折畳自在に設けられている。前側通風抵抗体３０ａ及び上側通風抵抗体３０ｂは、その一端が前側支持枠１８ａや上側支持枠１８ｂに取着されているため、前側支持枠１８ａ及び上側支持枠１８ｂの移動に伴って、前側空気吸込口１２ａの少なくとも一部や、上側空気吸込口１２ｂの少なくとも一部を開閉自在に覆うことができる。
【００３４】
通風抵抗体３０ａ，３０ｂは、畳まれた状態から展開されると、空気吸込口１２の一部（一部領域）を覆う一方で、他部（他部領域）についてはフィルタ１５が外側に露出した状態にする。その結果、通風抵抗体３０ａ，３０ｂによって覆われた空気吸込口１２ａ，１２ｂの一部領域では、空気吸込口１２ａ，１２ｂから吸いこまれる空気の通風抵抗が高められる。一方、通風抵抗体３０によって覆われていない空気吸込口１２ａ，１２ｂの他部領域では、通風抵抗の実質的な変化は生じない。
【００３５】
すなわち、通風抵抗体３０ａ，３０ｂは、自身が覆った一部領域を通過する空気の単位面積当たりの流量を、覆われていない他部領域を通過する空気の単位面積当たりの流量よりも低下させる働きを有する。ここで、このような通風抵抗体３０ａ，３０ｂがもたらす作用効果について、図４上では上側通風抵抗体３０ｂを例にとって説明する。
【００３６】
図４（ａ）に示すように、室内機３が通常の冷房運転、暖房運転又は除湿運転を行うとき、上側通風抵抗体３０ｂ（通風抵抗体３０）は、上側空気吸込口１２ｂ（空気吸込口１２）よりも側方側（左側）に畳まれた状態で収納されている。すなわち、上側支持枠１８ｂ（フィルタ清掃機構１８）の待機位置よりも側方側に位置しており、フィルタ１５が設置されている空気吸込口１２は全開した状態になっている。
【００３７】
このように通風抵抗体３０が畳まれた状態では、送風ファン２２によって吸い込まれる室内空気は、空気吸込口１２に設置されるフィルタ１５のみを通過して熱交換器２０（図２参照）に供給される。そして、吸い込まれた流入空気と、熱交換器２０内の冷媒とは、室内機３の左右方向について略均一な伝熱量で熱交換する。その結果、空気吹出口１３からは、図４（ａ）下方に白抜き矢印で示すように、室内機３の左右方向について均一な温度帯の空気が吹き出され、使用空間の全域に対して略同じ温度帯の気流が到達して空気調和がなされることになる。
【００３８】
これに対して、暑がりの人と寒がりの人とが同室に居るようなときには、互いに異なる温度帯の空気を吹き出す冷房運転や暖房運転が望まれる。そこで、通風抵抗体３０を展開させた状態で空気調和が行われる運転形式を選択可能に構成する。例えば、リモコン１０への使用者の指示入力等に基いて、フィルタ清掃機構１８が室内機３の運転中に左右方向に移動し得るように制御系を構成する。そして、図４（ｂ）に示すように、通風抵抗体３０の一端が取着されているフィルタ清掃機構１８が、待機位置から他端側（右側）に向けて移動し、例えば、室内機３の左右方向の中央に静止するように制御する。
【００３９】
このようにフィルタ清掃機構１８を移動させることによって、畳まれていた通風抵抗体３０は展開される。そして、空気吸込口１２の一部領域（左側半部）が通風抵抗体３０で覆われて、空気吸込口１２の一部領域（左側半部）から吸いこまれる空気の通風抵抗が高められる。その一方で、空気吸込口１２の他部領域（右側半部）は、通風抵抗体３０で覆われること無く、相対的に低い通風抵抗のままとなる。
【００４０】
そして、送風ファン２２によって吸い込まれる室内空気は、通風抵抗体３０で覆われた空気吸込口１２の一部領域（左側半部）の側においては、通風抵抗体３０とフィルタ１５とを通過して、低い単位面積当たり流量で熱交換器２０に供給される。一方で、通風抵抗体３０で覆われていない空気吸込口１２の他部領域（右側半部）の側においては、フィルタ１５のみを通過して、通常運転と同等の相対的に高い単位面積当たり流量で熱交換器２０に供給される。
【００４１】
そして、吸い込まれた流入空気と、熱交換器２０内の冷媒とは、室内機３の左右方向について異なる帯域の伝熱量で熱交換する。流入空気の単位面積当たりの流量が室内機３の左右方向で相違しているためである。その結果、空気吹出口１３からは、図４（ｂ）下方に網掛け矢印で示すように、通風抵抗体３０で覆われている空気吸込口１２の一部領域（左側半部）を通過し、通風抵抗体３０により流量が下げられた後に熱交換された空気が吹き出されることになる。また、これと同時に、図４（ｂ）下方に白抜き矢印で示すように、空気吸込口１２の他部領域（右側半部）を通過し、通風抵抗体３０により流量が下げられること無く熱交換された空気も吹き出されることになる。以上の作用は、上側通風抵抗体３０ｂと同様にして前側通風抵抗体３０ａによっても奏される。
【００４２】
本実施形態に係る空気調和機１は、具体的には、冷房運転においては、設定温度寄りの冷温の気流と共にそれよりも室温に近い気流を同時に吹き出すことが可能であるため、設定温度では寒すぎると感じる使用者に対しては、室温寄りの温度帯の気流を到達させることができる。また、暖房運転においては、設定温度寄りの温暖な気流と共にそれよりも室温に近い気流を同時に吹き出すことが可能であるため、設定温度では暑すぎると感じる使用者に対しては、室温寄りの温度帯の気流を到達させることができる。各温度帯の気流は、上下風向板１４ａや左右風向板１４ｂにより偏向させてよい。また、後記する分割式の風向板を利用してもよい。
【００４３】
リモコン１０には、例えば、「寒い」「暑い」といったボタンを設けると共に、使用者が操作した使用空間中の位置を検出する双方向型の機能を持たせてもよい。そして、使用者の温度をサーモパイルで測定し、一定温度を超えている場合に、その使用者に向けて風向を偏向させ、設定温度に向けた気流と共に室温に近い気流を到達させるようにすることも可能である。
【００４４】
なお、本実施形態においては、通風抵抗体３０が、フィルタ清掃機構１８の待機位置側（室内機３の左側）から展開するように設けられている。しかしながら、これに代えて、室内機３の左右方向において待機位置とは反対側（室内機３の右側）から展開するように設けてもよい。また、前側通風抵抗体３０ａと上側通風抵抗体３０ｂとを、フィルタ清掃機構１８に対して、室内機３の左右方向の同じ側に設けてもよいし、異なる側に設けてもよい。
【００４５】
また、本実施形態においては、通風抵抗体３０の一端が、フィルタ清掃機構１８に取着され、他端が案内枠１７に固定されている。しかしながら、通風抵抗体３０をフィルタ清掃機構１８や案内枠１７に対して脱着自在に設けてもよい。通風抵抗体３０とフィルタ清掃機構１８や案内枠１７との脱着は、各種機構、磁力、電動駆動装置等を適宜組み合わせて構成してよい。例えば、通風抵抗体３０とフィルタ清掃機構１８や案内枠１７とに、爪部等の連結手段と、これと係合する被連結部とをそれぞれ配設し、爪部等の連結手段が一方向の移動時のみ被連結部に結合するように構成することができる。連結手段には、推進軸１９ａの動力を伝達させて機構を駆動させてもよい。このようにすることによって、空気吸込口１２の左右方向の任意の側を適時に通風抵抗体３０で覆うことが可能になる。
【００４６】
また、本実施形態においては、通風抵抗体３０を展開及び折畳する手段が、フィルタ清掃機構１８とされている。しかしながら、通風抵抗体３０を展開自在且つ折畳自在とする機構であれば、その他の移動機構を別途設けて利用してもよい。また、通風抵抗体３０は、蛇腹状に折り畳まれるものとされているが、ロール状に捲回されて畳まれ、巻き解かれて展開するものであってもよい。また、通風抵抗体３０は、金属製、樹脂製等のルーバを多数連結し、ルーバの角度を変えることにより通風抵抗を可変させる形態等としてもよい。
【００４７】
以上の本実施形態に係る空気調和機によると、通風抵抗体３０の働きによって、熱交換時の空気の単位面積当たりの流量を室内機３の左右方向について異ならしめることができる。そのため、通常程度の伝熱量の熱交換に因る設定温度寄りの温度帯の気流と、それとは異なる帯域の伝熱量の熱交換に因る室温寄りの温度帯の気流とを同時に吹き出させることが可能となる。したがって、空気調和機の使用空間に暑がりの人と寒がりの人とが同室しているような場合にも、双方にとって快適な空間を実現することが可能である。
【００４８】
また、本実施形態に係る空気調和機によると、通風抵抗体３０が備えられているため、熱交換器２０のフィンの形状、枚数、間隔などや、冷媒管の形状、径、引き回しなどが左右方向に対称であっても、異なる温度帯の気流を吹き出させることができる。また、送風ファン２２については、左右方向に対称な構造を有する貫流ファン等が単一基、備えられていれば足りる。そのため、異なる温度帯の気流を吹き出させるにあたって、空気調和機の製造コスト、材料費等が抑えられる点で有利である。
【００４９】
［第２実施形態］
次に、本発明の第２実施形態に係る空気調和機の構成について説明する。第２実施形態に係る空気調和機１は、空気調和機１の運転時にフィルタ清掃機構１８を作動させて、フィルタ清掃機構１８自体を利用して空気吸込口の一部の通風抵抗を相対的に高めるようにしたものである。フィルタ清掃機構１８を利用することによる作用効果について、室内機３の上側（上側支持枠１８ｂ）を例にとって説明する。
【００５０】
図５は、本発明の第２実施形態に係る空気調和機が備える室内機の平面図である。（ａ）は、フィルタ清掃機構のみによって通風抵抗を与える形態を示す図であり、（ｂ）は、補助抵抗体を備えるフィルタ清掃機構によって通風抵抗を与える形態を示す図である。
【００５１】
室内機３に備えられるフィルタ清掃機構１８（上側支持枠１８ｂ）は、通常、空気調和機１の停止時に駆動され、フィルタ１５上を移動してフィルタ１５に付着している塵埃の除去を行う。一方、室内機３が通常の冷房運転、暖房運転又は除湿運転を行うとき、すなわち、送風ファン２２の稼働時には、上側支持枠１８ｂは、室内機３の左右方向の一端の待機位置（図５（ａ）の右側に太破線で示す領域）に待機している。このとき、上側空気吸込口１２ｂ（空気吸込口１２）は全開した状態である。
【００５２】
これに対して、暑がりの人と寒がりの人とが同室に居るようなときには、互いに異なる温度帯の空気を吹き出す冷房運転や暖房運転が望まれる。そこで、フィルタ清掃機構１８を空気吸込口１２上の所定位置に静止させた状態で空気調和が行われる運転形式を選択可能に構成する。例えば、リモコン１０への使用者の指示入力等に基いて、フィルタ清掃機構１８が室内機３の運転中に左右方向に移動し得るように制御系を構成する。そして、図５（ａ）に示すように、フィルタ清掃機構１８が、待機位置から他端側（右側）に向けてフィルタ１５上を移動して空気吸込口１２の直上に静止するように制御する。静止位置は、具体的には、空気吸込口１２の左右方向の中央（図５において一点鎖線で示す。）から偏位した位置、例えば、図５（ａ）に示すように、空気吸込口１２の右側半部を覆う位置とする。
【００５３】
このような位置にフィルタ清掃機構１８を移動させると、フィルタ清掃機構１８の直下に位置する空気吸込口１２は、通気性を有さないフィルタ清掃機構１８によってフィルタ１５の外側から部分的に覆われることになる。また、フィルタ清掃機構１８とフィルタ１５との間の隙間は狭く、フィルタ清掃機構１８の下面側には起毛ブラシ１６（図２参照）が取り付けられている。そのため、フィルタ清掃機構１８を偏位させた側の空気吸込口１２の一部領域（右側半部）では、吸いこまれる空気の通風抵抗が高められる。その一方で、空気吸込口１２の他部領域（左側半部）は、フィルタ清掃機構１８で覆われること無く、相対的に低い通風抵抗のままとなる。
【００５４】
そして、送風ファン２２によって吸い込まれる室内空気は、フィルタ清掃機構１８を偏位させた側の空気吸込口１２の一部領域（右側半部）の側においては、低い単位面積当たり流量で熱交換器２０に供給される。一方で、フィルタ清掃機構１８で覆われていない空気吸込口１２の他部領域（左側半部）の側においては、通常運転と同等の相対的に高い単位面積当たり流量で熱交換器２０に供給される。
【００５５】
そして、吸い込まれた流入空気と、熱交換器２０内の冷媒とは、室内機３の左右方向について異なる帯域の伝熱量で熱交換する。流入空気の単位面積当たりの流量が室内機３の左右方向で相違しているためである。その結果、空気吹出口１３からは、図５（ａ）下方に網掛け矢印で示すように、フィルタ清掃機構１８を偏位させた側の空気吸込口１２の一部領域（右側半部）を通過し、流量が下げられた後に熱交換された空気が吹き出されることになる。また、これと同時に、図５（ａ）下方に白抜き矢印で示すように、空気吸込口１２の他部領域（左側半部）を通過し、流量が下げられること無く熱交換された空気も吹き出されることになる。以上の作用は、室内機３の上側（上側支持枠１８ｂ）と同様にして室内機３の前側（前側支持枠１８ａ）によっても奏される。
【００５６】
なお、本実施形態に係る空気調和機においては、フィルタ清掃機構１８の静止位置を、空気吸込口１２の右側半部の一部を覆う位置に偏位させている。しかしながら、これに代えて、空気吸込口１２の左側半部の一部を覆う位置に偏位させてもよい。また、空気吸込口１２の右側半部や左側半部を覆う具体的な位置としては、室内機３の右側半部と左側半部とで空気吸込口１２の開口面積（平面視における面積）の相違を生じさせる限り、右側半部や左側半部の各中央よりも室内機３の中央側の位置としてもよいし、右側半部や左側半部の各中央よりも室内機３の外側の位置としてもよい。但し、室内機３の左右方向について熱交換の伝熱量に明確な差異をつける観点からは、右側半部や左側半部の各中央、又は、各中央よりも外側の位置とすることが好ましい。
【００５７】
また、図５（ａ）に示す形態では、フィルタ清掃機構１８のみによって通風抵抗を与える形態とされているが、これに代えて、図５（ｂ）に示すように、補助抵抗体３２を備えるフィルタ清掃機構１８によって通風抵抗を与える形態としてもよい。補助抵抗体３２は、フィルタ清掃機構１８のみによっては不足する通風抵抗を補うために備えられる。補助抵抗体３２は、図５（ｂ）に示すように、剛性を有する材料又は可撓性を有する材料によって板状、翼状等に設け、フィルタ清掃機構１８に固定することができる。或いは、フィルタ、紙、不織布、編物等を材料として多孔性の形状に設けることも可能である。補助抵抗体３２は、フィルタ清掃機構１８の待機位置に収納可能な寸法に設けてもよいし、収納可能となるように展開自在且つ折畳自在に設けてもよい。補助抵抗体３２を展開させる機構としては、補助抵抗体３２の後端を引っ掛ける爪部等を進路上に所定間隔に配設する等の適宜の機構を利用してよい。また、補助抵抗体３２は、フィルタ清掃機構１８とあらかじめ一体に設けることも可能である。
【００５８】
以上の本実施形態に係る空気調和機によると、フィルタ清掃機構１８自体の働きによって、熱交換時の空気の単位面積当たりの流量を室内機３の左右方向について異ならしめることができる。そのため、通常程度の伝熱量の熱交換に因る設定温度寄りの温度帯の気流と、それとは異なる帯域の伝熱量の熱交換に因る室温寄りの温度帯の気流とを同時に吹き出させることが可能となる。特に、左右からそれぞれ吹き出される気流の温度帯の高低を、フィルタ清掃機構１８の静止位置の設定によって自在に逆転させることが可能である。このとき、室内機３を新規の機器構造とする必要は必ずしも無く、既存の機器構造を有効に利用して実現することができる。したがって、前記の実施形態と同様に、空気調和機の使用空間に暑がりの人と寒がりの人とが同室しているような場合にも、双方にとって快適な空間を実現することが可能であるし、異なる温度帯の気流を吹き出させるにあたって、空気調和機の製造コスト、材料費等が抑えられる点で有利である。
【００５９】
［第３実施形態］
次に、本発明の第３実施形態に係る空気調和機の構成について説明する。第３実施形態に係る空気調和機１は、空気吸込口１２の一部を開閉自在に覆い、その領域の通風抵抗を相対的に高めることが可能な分割式の前面パネル７（分割前面パネル７Ｒ，７Ｌ）が備えられたものである。
【００６０】
図６は、本発明の第３実施形態に係る空気調和機が備える室内機の斜視図である。
図６に示すように、本実施形態に係る空気調和機１においては、室内機３Ａの前側に、室内機３Ａの左右方向に分割された複数の分割前面パネル７Ｒ，７Ｌが備えられている。
室内機３Ａの右側に備えられる右側前面パネル７Ｒは、前側空気吸込口１２ａの少なくとも一部（一部領域）を覆っている。一方、左側に備えられる左側前面パネル７Ｌは、右側前面パネル７Ｒとは反対側の前側空気吸込口１２ａの他部（他部領域）を覆っている。
【００６１】
右側前面パネル７Ｒと左側前面パネル７Ｌとは、互いに独立に開閉自在に設けられている。また、右側前面パネル７Ｒと左側前面パネル７Ｌとは、段階的又は連続的に異なる開度で開放制御されるように構成されている。ここで、このような分割前面パネル７Ｒ，７Ｌがもたらす作用効果について説明する。
【００６２】
図７は、本発明の第３実施形態に係る空気調和機が備える室内機の運転状態を示す図である。（ａ）は、分割前面パネルの両方が全開した状態を示す図であり、（ｂ）は、分割前面パネルの一方が全開し、他方が半開した状態を示す図である。
図７（ａ）に示すように、室内機３Ａが通常の冷房運転、暖房運転又は除湿運転を行うとき、右側前面パネル７Ｒ及び左側前面パネル７Ｌは、それぞれ最大の開度で開き、送風ファン２２の作動に伴って前側空気吸込口１２ａに室内空気を取り入れる。右側前面パネル７Ｒと左側前面パネル７Ｌとは同等の開度で開放されて空気調和が行われることになる。
【００６３】
このように右側前面パネル７Ｒと左側前面パネル７Ｌとが同等の開度で開放された状態では、送風ファン２２によって吸い込まれた室内空気は、右側前面パネル７Ｒが設置される側の前側空気吸込口１２ａの一部領域（左側半部）と、左側前面パネル７Ｌが設置される側の前側空気吸込口１２ａの他部領域（右側半部）とのそれぞれを通り、略同等の単位面積当たり流量で熱交換器２０に供給される。そして、吸い込まれた流入空気と、熱交換器２０内の冷媒とは、室内機３Ａの左右方向について略均一な伝熱量で熱交換する。その結果、空気吹出口１３からは、図７（ａ）下方に白抜き矢印で示すように、室内機３Ａの左右方向について均一な温度帯の空気が吹き出され、使用空間の全域に対して略同じ温度帯の気流が到達して空気調和がなされることになる。
【００６４】
これに対して、暑がりの人と寒がりの人とが同室に居るようなときには、互いに異なる温度帯の空気を吹き出す冷房運転や暖房運転が望まれる。そこで、右側前面パネル７Ｒと左側前面パネル７Ｌの開度が互いに異なる状態で空気調和が行われる運転形式を選択可能に構成する。例えば、リモコン１０への使用者の指示入力等に基いて分割前面パネル７Ｒ，７Ｌの開度を可変させる。そして、図７（ｂ）に示すように、一方の分割前面パネル（左側前面パネル７Ｌ）を中間開度にまで閉めると共に、他方の分割前面パネル（右側前面パネル７Ｒ）を最大開度に保持した状態にする。
【００６５】
このように分割前面パネル７Ｒ，７Ｌの開度を異ならしめることよって、前側空気吸込口１２ａの一部領域（左側半部）は、中間開度の分割前面パネル（左側前面パネル７Ｌ）により吸いこまれる空気の通風抵抗が高められる。その一方で、前側空気吸込口１２ａの他部領域（右側半部）は、最大開度の分割前面パネル（右側前面パネル７Ｒ）により通風抵抗が高められること無く、相対的に低い通風抵抗のままとなる。
【００６６】
そして、送風ファン２２によって吸い込まれる室内空気は、分割前面パネル（７Ｌ）が中間開度である前側空気吸込口１２ａの一部領域（左側半部）の側においては、低い単位面積当たり流量で熱交換器２０に供給される。一方で、分割前面パネル（７Ｒ）が最大開度である前側空気吸込口１２ａの他部領域（右側半部）の側においては、通常運転と同等の相対的に高い単位面積当たり流量で熱交換器２０に供給される。
【００６７】
そして、吸い込まれた流入空気と、熱交換器２０内の冷媒とは、室内機３の左右方向について異なる帯域の伝熱量で熱交換する。流入空気の単位面積当たりの流量が室内機３Ａの左右方向で相違しているためである。その結果、空気吹出口１３からは、図７（ｂ）下方に網掛け矢印で示すように、分割前面パネル（７Ｌ）の開度が小さい前側空気吸込口１２ａの一部領域（左側半部）を通過し、流量が下げられた後に熱交換された空気が吹き出されることになる。また、これと同時に、図７（ｂ）下方に白抜き矢印で示すように、分割前面パネル（７Ｒ）の開度が大きい前側空気吸込口１２ａの他部領域（右側半部）を通過し、流量が下げられること無く熱交換された空気も吹き出されることになる。
【００６８】
なお、本実施形態に係る空気調和機においては、分割前面パネル７Ｒ，７Ｌが、室内機３Ａの左右方向の中央で二分割された形態とされている。しかしながら、これに代えて、室内機３Ａの左右方向の中央よりも側方側に偏位させて分割した形態としてもよい。また、二分割された形態に限られず、３以上の複数の前面パネルに分割した形態としてもよい。
【００６９】
以上の本実施形態に係る空気調和機によると、分割前面パネルの働きによって、熱交換時の空気の単位面積当たりの流量を室内機３Ａの左右方向について異ならしめることができる。そのため、通常程度の伝熱量の熱交換に因る設定温度寄りの温度帯の気流と、それとは異なる帯域の伝熱量の熱交換に因る室温寄りの温度帯の気流とを同時に吹き出させることが可能となる。各温度帯の気流は、上下風向板１４ａや左右風向板１４ｂにより偏向させてよい。また、後記する分割式の風向板を利用してもよい。したがって、前記の実施形態と同様に、空気調和機の使用空間に暑がりの人と寒がりの人とが同室しているような場合にも、双方にとって快適な空間を実現することが可能であるし、異なる温度帯の気流を吹き出させるにあたって、空気調和機の製造コスト、材料費等が抑えられる点で有利である。
【００７０】
［変形例］
次に、前記の実施形態に係る空気調和機の変形例について説明する。変形例に係る空気調和機は、互いに独立に、異なる角度を向くことが可能であり、風向を可変させることができる分割式の風向板が備えられるものである。分割式の風向板としては、上下風向板１４ａ及び左右風向板１４ｂのいずれか一方であってもよいし、両方であってもよい。以下の説明では、左右風向板１４ｂについて分割式の形態を適用した例として、分割左右風向板（１４ｂ１，１４ｂ２）を例示して説明する。
【００７１】
図８は、本発明の変形例に係る空気調和機が備える室内機の部分断面図である。（ａ）は、分割左右風向板が互いに同方向に向いた状態を示す図であり、（ｂ）は、分割左右風向板が互いに異方向に向いた状態を示す図である。
図８においては、室内機に備えられる送風ファン２２の吹き出し側を上方から視た様子を模式的に示している。図８（ａ）に示すように、変形例に係る空気調和機１においては、室内機の左右方向に分割された複数の分割左右風向板（１４ｂ１，１４ｂ２）が空気吹出口１３に備えられている。室内機の右側に備えられる右側左右風向板１４ｂ１は、空気吹出口１３の一部領域（右側半部）から吹き出される空気の風向を可変させることができる。一方、室内機の左側に備えられる左側左右風向板１４ｂ２は、空気吹出口１３の他部領域（左側半部）から吹き出される空気の風向を可変させることができる。
【００７２】
右側左右風向板１４ｂ１と左側左右風向板１４ｂ２とは、互いに独立に任意の角度を採り得るように設けられており、異なる方向を向いて風向の左右の偏向を独立に可変させる。例えば、右側左右風向板１４ｂ１と左側左右風向板１４ｂ２とのそれぞれを貫通するように複数の可動軸を設け、これらの可動軸を独立に制御することで作動させる。
【００７３】
図８（ａ）に示すように、右側左右風向板１４ｂ１と左側左右風向板１４ｂ２とは、従来の左右一体型の左右風向板１４ｂと同様に、互いに同じ角度に向くことができる。同角度をとりながら室内機の左右方向に揺動又は静止することにより、空気吹出口１３の全域からの吹き出し空気の気流の方向を偏向させることができる。
【００７４】
右側左右風向板１４ｂ１と左側左右風向板１４ｂ２とが同方向を向くとき、風向板同士の間隔（Ｄ１）は、室内機の左右方向について略同等である。そのため、空気吸込口１２から空気吹出口１３に至る通風路における通風抵抗も、室内機の左右方向について略同等となる。それ故、空気吸込口１２から吸い込まれた流入空気と、熱交換器２０内の冷媒とは、室内機の左右方向について略均一な伝熱量で熱交換する。その結果、空気吹出口１３からは、図８（ａ）下方に白抜き矢印で示すように、室内機の左右方向について均一な温度帯の空気が吹き出され、使用空間の全域に対して略同じ温度帯の気流が到達して空気調和がなされることになる。
【００７５】
これに対して、図８（ｂ）に示すように、右側左右風向板１４ｂ１と左側左右風向板１４ｂ２とが、互いに異なる角度に向く運転方式を選択可能に構成する。例えば、一方の分割左右風向板（右側左右風向板１４ｂ１）を正面方向に向けて静止させ、他方の分割左右風向板（左側左右風向板１４ｂ２）をそれとは異なる角度に向けて静止させる。
【００７６】
このように右側左右風向板１４ｂ１と左側左右風向板１４ｂ２とが異なる角度に向くと、一方の分割左右風向板（右側左右風向板１４ｂ１）同士の間隔（Ｄ１）と、一方の分割左右風向板（左側左右風向板１４ｂ２）同士の間隔（Ｄ２）とは異なる距離をとるようになる。そのため、分割左右風向板１４ｂ１，１４ｂ２同士の間隔の相違により、空気吸込口１２から空気吹出口１３に至る通風路における通風抵抗も、室内機の左右方向について相違を生じる。
【００７７】
そして、送風ファン２２によって吸い込まれる室内空気は、間隔が大きい一方の分割左右風向板（右側左右風向板１４ｂ１）の側においては、相対的に高い単位面積当たり流量で熱交換器２０に供給される。一方で、間隔が小さい他方の分割左右風向板（左側左右風向板１４ｂ２）の側においては、通風抵抗により、相対的に低い単位面積当たり流量で熱交換器２０に供給される。
【００７８】
そして、送風ファン２２によって吸い込まれた流入空気と、熱交換器２０内の冷媒とは、室内機の左右方向について異なる帯域の伝熱量で熱交換する。流入空気の単位面積当たりの流量が室内機の左右方向で相違しているためである。その結果、空気吹出口１３からは、図８（ｂ）下方に白抜き矢印で示すように、一方の分割左右風向板（右側左右風向板１４ｂ１）の側から、風向板同士の間隔が大きい一部領域（右側半部）の側を通風路とし相対的に高い流量で熱交換された空気が吹き出されることになる。また、これと同時に、図８（ｂ）下方に網掛け矢印で示すように、他方の分割左右風向板（左側左右風向板１４ｂ２）の側から、風向板同士の間隔が小さい他部領域（左側半部）の側を通風路とし相対的に低い流量で熱交換された空気も吹き出されることになる。
【００７９】
なお、この変形例においては、一方の分割左右風向板（右側左右風向板１４ｂ１）を正面方向に向けて静止させ、他方の分割左右風向板（左側左右風向板１４ｂ２）を異なる角度に向けて静止させている。しかしながら、これに代えて、一方の分割左右風向板の角度を小角度で揺動又は静止させ、他方の分割左右風向板の角度をそれよりも大角度で揺動又は静止させるように作動させてもよい。但し、同時に吹き出される気流の温度帯に温度差を付与する観点からは、一方を正面方向に向け、他方を最大角度で揺動させることが好ましい。また、分割式の上下風向板と分割式の左右風向板の両方を設ける場合には、上下風向板及び左右風向板の向きは、風向板の間隔を大きくする方向に同期させてもよいし、非同期として緻密に制御してもよい。
【００８０】
また、この変形例においては、分割左右風向板１４ｂ１，１４ｂ２が、空気吹出口１３の左右方向の略中央で二分割された形態とされている。しかしながら、これに代えて、空気吹出口１３の左右方向の中央よりも側方側に偏位させて分割した形態としてもよい。また、二分割された形態に限られず、３以上の複数の分割左右風向板に分割し、それぞれを独立に作動させる形態としてもよい。
【００８１】
以上の変形例に係る空気調和機によると、分割式の風向板の働きによって、熱交換時の空気の単位面積当たりの流量を室内機の左右方向について異ならしめることができる。そのため、通常程度の伝熱量の熱交換に因る設定温度寄りの温度帯の気流と、それとは異なる帯域の伝熱量の熱交換に因る室温寄りの温度帯の気流とを同時に吹き出させることが可能となる。
【００８２】
分割式の風向板は、前記の通風抵抗体３０と併用することが可能である。例えば、空気吸込口１２において、室内機３の左右方向の一端から、分割左右風向板（１４ｂ１，１４ｂ２）の分割位置を通る垂線に接するまでの領域を通風抵抗体３０で覆った状態で空気調和させることができる。このとき、分割左右風向板（１４ｂ１，１４ｂ２）は、通風抵抗体３０で覆われている側の間隔を小さくし、流入空気の流量を一層低くして熱交換させてもよいし、反対に、通風抵抗体３０で覆われている側の間隔を大きくし、流入空気の流量の大小関係を緻密に調整して熱交換させてもよい。或いは、空気吸込口１２において、室内機３の左右方向の一端から、分割左右風向板（１４ｂ１，１４ｂ２）の分割位置を通る垂線を超える位置までの領域、又は、室内機３の左右方向の一端から、分割左右風向板（１４ｂ１，１４ｂ２）の分割位置を通る垂線を超えない位置までの領域を通風抵抗体３０で覆った状態で空気調和させてもよい。分割式の風向板と通風抵抗体３０とを併用することにより、さらに緻密な温度設定で互いに異なる温度帯とされた気流を吹き出させることができる。
【００８３】
また、分割式の左右風向板は、前記のフィルタ清掃機構１８自体を利用する形態に適用することが可能である。例えば、フィルタ清掃機構１８を空気吸込口１２の左右方向の中央から偏位した位置に静止させると共に、同じ側の分割左右風向板（１４ｂ１，１４ｂ２）同士の間隔も他方よりも小さくした状態で空気調和させることができる。また、反対に、同じ側の分割左右風向板（１４ｂ１，１４ｂ２）同士の間隔については他方よりも大きくした状態で空気調和させることもできる。分割式の風向板とフィルタ清掃機構１８とを制御することにより、さらに緻密な温度設定で互いに異なる温度帯とされた気流を吹き出させることができる。
【００８４】
また、分割式の左右風向板は、前記の分割式の前面パネル７と併用することが可能である。例えば、一方の分割前面パネル（７Ｒ，７Ｌ）の開度を他方よりも相対的に小さくすると共に、同じ側の分割左右風向板（１４ｂ１，１４ｂ２）同士の間隔も他方よりも小さくした状態で空気調和させることができる。また、反対に、一方の分割前面パネル（７Ｒ，７Ｌ）の開度を他方よりも相対的に小さくすると共に、同じ側の分割左右風向板（１４ｂ１，１４ｂ２）同士の間隔については他方よりも大きくした状態で空気調和させることもできる。分割式の風向板と分割式の前面パネル７とを併用することにより、さらに緻密な温度設定で互いに異なる温度帯とされた気流を吹き出させることができる。
【符号の説明】
【００８５】
１  空気調和機
２  室外機
３  室内機
４  接続配管
５  筺体
６  化粧枠
７  前面パネル
８  表示部
９  受光部
１０  リモコン
１２  空気吸込口
１３  空気吹出口
１４ａ  上下風向板
１４ｂ  左右風向板
１５  フィルタ
１６  起毛ブラシ
１７  案内枠
１８  フィルタ清掃機構
１８ａ，１８ｂ  支持枠
１８ｃ  スクリュ
１８ｄ  キャリッジ
１８ｅ  レール
１９ａ  推進軸
１９ｂ  ラック
２０  熱交換器
２２  送風ファン
３０  通風抵抗体
３２  補助抵抗体
【図１】
2016217589.tif 000003
【図２】
2016217589.tif 000004
【図３】
2016217589.tif 000005
【図４】
2016217589.tif 000006
【図５】
2016217589.tif 000007
【図６】
2016217589.tif 000008
【図７】
2016217589.tif 000009
【図８】
2016217589.tif 000010